(57)【要約】      （修正有）【課題】大きな騒音が発生しても、車載装置から出力される音声が示す情報を車内のユーザに確実に伝達することができる車載装置を提供する。【解決手段】車載装置２０は、データを音声により出力している間に、マイク１４を介して所定の閾値以上の音量を検出した場合、当該音量が検出された時に音声により出力されていたデータのＩＤを記憶し、ユーザからＩＤを指定された場合に、当該ＩＤに対応するデータから、音声による出力を再開する。【選択図】図１
2008040194.tif 000002
【特許請求の範囲】
【請求項１】
データを音声により読み上げて出力する機能を有する車載装置において、
音声として読み上げられるデータである読み上げデータを、それぞれの読み上げデータを識別する読み上げＩＤに対応付けて記憶する読み上げデータ記憶手段と、
前記読み上げデータ記憶手段内の読み上げデータを、当該読み上げデータ毎に音声データに変換してスピーカから音声として出力すると共に、出力した読み上げデータの読み上げＩＤを出力する読み上げ手段と、
読み上げＩＤを記憶する読み上げＩＤ記憶手段と、
車内に設けられたマイクからの音量が所定の閾値以上である場合に、前記読み上げ手段から出力された読み上げＩＤを前記読み上げＩＤ記憶手段に書き込む読み上げＩＤ書込手段と、
再度の読み上げを実行すべき読み上げデータに対応する読み上げＩＤの入力をユーザから受け付ける読み上げＩＤ受付手段と
を備え、
前記読み上げ手段は、
前記読み上げＩＤ受付手段を介して、再度の読み上げを実行すべき読み上げデータに対応する読み上げＩＤをユーザから受け付けた場合に、前記読み上げデータ記憶手段を参照して、受け付けた読み上げＩＤに対応する読み上げデータから、読み上げデータの音声による出力を再開することを特徴とする車載装置。
【請求項２】
請求項１に記載の車載装置であって、
前記読み上げデータ記憶手段内のそれぞれの読み上げデータは、１つの文章であることを特徴とする車載装置。
【請求項３】
請求項１に記載の車載装置であって、
前記読み上げデータ記憶手段内のそれぞれの読み上げデータは、１つの文節であることを特徴とする車載装置。
【請求項４】
請求項１に記載の車載装置であって、
前記読み上げデータ記憶手段内のそれぞれの読み上げデータは、１つ以上の文章から構成される情報のまとまりであることを特徴とする車載装置。
【請求項５】
請求項２から４のいずれか一項に記載の車載装置であって、
前記読み上げデータ記憶手段内の読み上げデータには、それぞれに属性を示す属性情報がさらに対応付けられており、
前記読み上げ手段は、
前記読み上げＩＤ受付手段を介してユーザから受け付けた読み上げＩＤに対応する読み上げデータから音声による出力を再開する場合に、当該読み上げデータに対応付けられている属性情報を音声により出力した後に、当該読み上げデータから音声による出力を再開することを特徴とする車載装置。
【請求項６】
請求項１から５のいずれか一項に記載の車載装置であって、
前記閾値を記憶する閾値記憶手段と、
騒音が大きいために、読み上げ手段によって出力された音声を聞き取ることができなかった旨を示す騒音通知をユーザから受け付ける騒音通知受付手段と、
前記騒音通知受付手段を介して前記騒音通知を受け付けた場合に、当該騒音通知を受け付けた時点から所定期間前までのマイクからの音量に基づいて、前記閾値を算出し、算出した閾値で前記閾値記憶手段内の閾値を更新する閾値算出手段と
をさらに備え、
前記読み上げＩＤ書込手段は、
前記閾値記憶手段内の閾値を用いて、前記マイクからの音量が閾値以上であるか否かを判定することを特徴とする車載装置。
【請求項７】
請求項１から５のいずれか一項に記載の車載装置であって、
前記閾値を記憶する閾値記憶手段と、
音声による情報の読み上げ機能の起動および停止の指示をユーザから受け付ける起動停止受付手段と、
前記起動停止受付手段を介して音声による情報の読み上げ機能の起動が指示されてから、音声による情報の読み上げ機能の停止が指示されるまでに、前記読み上げＩＤ書込手段によって１回以上前記読み上げＩＤ記憶手段に読み上げＩＤが書き込まれたが、前記読み上げＩＤ受付手段を介して読み上げＩＤが入力されなかった場合に、前記閾値記憶手段内の閾値を所定量上げた値に書き換える閾値調整手段と
をさらに備え、
前記読み上げＩＤ書込手段は、
前記閾値記憶手段内の閾値を用いて、前記マイクからの音量が閾値以上であるか否かを判定することを特徴とする車載装置。
【発明の詳細な説明】
【技術分野】
【０００１】
本発明は、データを音声により読み上げて出力する機能を有する車載装置に関する。
【背景技術】
【０００２】
特許文献１には、現在位置から設定された目的地までの経路を、音声によって案内する機能を有する車載用ナビゲーション装置において、案内経路上の曲折交差点における進行方向を案内する音声案内の音量を、車内の騒音に合わせて自動的に調整する技術が開示されている。この技術により、案内経路上の曲折交差点に接近した場合の音声案内を聞き取りやすい音量でユーザに提供することができる。
【０００３】
【特許文献１】特開２００１−８２９７６号公報
【発明の開示】
【発明が解決しようとする課題】
【０００４】
上記特許文献１に記載の技術は、騒音が音声案内の音量と同等かわずかに大きい場合に有効ではあるが、飛行場付近を走行中に上空をジェット機が通過する場合や、踏み切り近傍で停車中に、踏み切りを電車が通過する場合のように、音声案内の音量を大きくしたとしても、騒音により音声案内を聞き取ることができない場合がある。このような場合には、ユーザに伝えるべき情報を音声により伝達することができなかった。
【０００５】
本発明は上記事情を鑑みてなされたものであり、本発明の目的は、大きな騒音が発生しても、車載装置から出力される音声が示す情報を車内のユーザに確実に伝達することができるようにすることにある。
【課題を解決するための手段】
【０００６】
上記課題を解決するために、本発明の車載装置は、データを音声により出力している間に、マイクを介して閾値以上の音量を検出した場合、当該音量が検出された時に音声により出力されていたデータのＩＤを記憶し、ユーザからＩＤを指定された場合に、当該ＩＤに対応するデータから、音声による出力を再開する。
【０００７】
また、本発明は、例えば、データを音声により読み上げて出力する機能を有する車載装置において、音声として読み上げられるデータである読み上げデータを、それぞれの読み上げデータを識別する読み上げＩＤに対応付けて記憶する読み上げデータ記憶手段と、読み上げデータ記憶手段内の読み上げデータを、当該読み上げデータ毎に音声に変換してスピーカから出力すると共に、出力した読み上げデータの読み上げＩＤを出力する読み上げ手段と、読み上げＩＤを記憶する読み上げＩＤ記憶手段と、車内に設けられたマイクからの音量が閾値以上である場合に、読み上げ手段から出力された読み上げＩＤを読み上げＩＤ記憶手段に書き込む読み上げＩＤ書込手段と、再度の読み上げを実行すべき読み上げデータに対応する読み上げＩＤの入力をユーザから受け付ける読み上げＩＤ受付手段とを備え、読み上げ手段は、読み上げＩＤ受付手段を介して、再度の読み上げを実行すべき読み上げデータに対応する読み上げＩＤをユーザから受け付けた場合に、読み上げデータ記憶手段を参照して、受け付けた読み上げＩＤに対応する読み上げデータから、読み上げデータの音声による出力を再開することを特徴とする車載装置を提供する。
【発明の効果】
【０００８】
本発明の車載装置によれば、大きな騒音が発生しても、車載装置から出力される音声が示す情報を車内のユーザに確実に伝達することができる。
【発明を実施するための最良の形態】
【０００９】
以下に、本発明の実施の形態について、図面を参照しながら説明する。
【００１０】
図１は、本発明の一実施形態に係る車載システム１０の構成を示すシステム構成図である。車載システム１０は、表示装置１１、入力装置１２、スピーカ１３、マイク１４、および車載装置２０を備える。
【００１１】
車載装置２０は、データ取得部２００、読み上げデータ記憶部２０１、読み上げＩＤ記憶部２０２、表示部２０３、入力部２０４、データ読み上げ部２０５、および読み上げＩＤ書込部２０６を有する。
【００１２】
データ取得部２００は、記録媒体や通信装置を介して、音声によって読み上げるデータである読み上げデータを取得して読み上げデータ記憶部２０１に書き込む。なお、データ取得部２００自体が外部のサーバ等と無線通信する機能を有し、当該外部のサーバ等から読み上げデータを取得してもよい。
【００１３】
読み上げデータ記憶部２０１は、例えば図２に示すように、複数のレコード２０１３を格納する。それぞれのレコード２０１３には、データ取得部２００によって取得された読み上げデータ２０１２、および、当該２０１２に関する属性情報２０１１が、それぞれの読み上げデータ２０１２を識別する読み上げＩＤ２０１０に対応付けて格納される。それぞれのレコード２０１３は、読み上げられるべき順番で、例えば受信日時順に読み上げデータ記憶部２０１に格納されている。
【００１４】
属性情報２０１１は、読み上げデータ２０１２が、例えば電子メールである場合は件名、送信日時、および送信元等を示す情報であり、読み上げデータ２０１２が、例えば地点情報（ＰＯＩ：Point Of Interest）である場合は位置を識別する名称やジャンル等であり、読み上げデータ２０１２が、例えばニュースである場合はタイトルや配信日時等である。
【００１５】
本実施形態において、読み上げデータ２０１２は、１つの文章で構成される。そのため、データ取得部２００は、電子メールについては、例えば、電子メール本文の先頭から読点までの文字列、読点で挟まれた文字列、または読点から電子メール本文の末尾までの文字列を、それぞれ読み上げデータ２０１２として読み上げデータ記憶部２０１に書き込み、地点情報やニュース等については、例えば、閲覧用の文字列として句読点を入れて表記した場合の、文字列の先頭から読点までの文字列、または、読点で挟まれる文字列を、それぞれ読み上げデータ２０１２として読み上げデータ記憶部２０１に書き込む。
【００１６】
なお、他の例として、データ取得部２００は、取得したデータを閲覧用の文字列として句読点を入れて表記した場合の、文節となる文字列や、句読点に挟まれる文字列を読み上げデータ２０１２として読み上げデータ記憶部２０１に書き込んでもよい。また、データ取得部２００は、１つの情報のまとまり（１件の電子メール、１つの地点情報、または１件のニュース）を、それぞれ読み上げデータ２０１２として読み上げデータ記憶部２０１に書き込んでもよい。
【００１７】
図１に戻って説明を続ける。入力部２０４は、タッチパネルやキーパッド等である入力装置１２から操作信号を受け付け、受け付けた操作信号に応じた情報を表示部２０３またはデータ読み上げ部２０５へ供給する。
【００１８】
データ読み上げ部２０５は、入力部２０４を介して、読み上げＩＤを受け付けた場合に、読み上げデータ記憶部２０１を参照して、当該読み上げＩＤに対応する読み上げデータを取得する。そして、データ読み上げ部２０５は、取得した読み上げデータに対応する読み上げＩＤを読み上げＩＤ書込部２０６に通知して、取得した読み上げデータを音声信号に変換してスピーカ１３を介して出力する。
【００１９】
また、データ読み上げ部２０５は、取得した読み上げデータの音声による出力が終了した場合、当該読み上げデータの次に読み上げるべきデータが読み上げデータ記憶部２０１内に格納されている場合に、次に読み上げるべきデータを読み上げデータ記憶部２０１から取得して音声により出力する。次に読み上げるべきデータが読み上げデータ記憶部２０１内に格納されていない場合は、データ読み上げ部２０５は、音声による読み上げデータの出力が全て終了した旨を表示部２０３および読み上げＩＤ書込部２０６に通知する。
【００２０】
読み上げＩＤ書込部２０６は、読み上げＩＤ書込部２０６から読み上げＩＤを通知された場合に、マイク１４によって電気信号に変換された音量の信号レベルの監視を開始する。そして、読み上げＩＤ書込部２０６は、当該信号レベルが予め設定された閾値を超えた場合に、データ読み上げ部２０５によって出力された音声の聞き取りを阻害する騒音が発生したものと判定し、データ読み上げ部２０５から通知された読み上げＩＤを読み上げＩＤ記憶部２０２に書き込む。このとき、読み上げＩＤ書込部２０６は、書き込むべき読み上げＩＤが既に読み上げＩＤ記憶部２０２に書き込まれている場合には、当該読み上げＩＤの書き込みを行わない。
【００２１】
なお、読み上げＩＤ書込部２０６によって参照される閾値は、データ読み上げ部２０５によってスピーカ１３から出力される音声がマイク１４によって電気信号に変換された場合に、当該音声による電気信号を騒音と判定しないような値に設定される。これは、閾値の調整、および、スピーカ１３とマイク１４の位置関係の調整等によって実現される。
【００２２】
図３は、読み上げＩＤが書き込まれる過程を説明するための概念図である。図示するように、読み上げＩＤ書込部２０６は、例えば、読み上げＩＤが「００１」である読み上げデータ３０を音声により出力している間に、時点３４において音量を示す信号レベル３２が閾値３３を上回ると、読み上げＩＤ書込部２０６は、データ読み上げ部２０５によって出力された音声の聞き取りを阻害する騒音が発生したものと判定し、「００１」を書き込むべき読み上げＩＤとして決定する。
【００２３】
そして、読み上げＩＤ書込部２０６は、読み上げＩＤ記憶部２０２を参照して、決定した読み出しＩＤが読み上げＩＤ記憶部２０２に既に書き込まれているか否か判定する。図３に示す例では、「００１」が読み上げＩＤ記憶部２０２内に書き込まれていないので、読み上げＩＤ書込部２０６は、「００１」を読み上げＩＤとして読み上げＩＤ記憶部２０２に書き込む。
【００２４】
また、時点３５において、データ読み上げ部２０５は、音声として出力する読み上げデータの読み上げＩＤとして「００２」を読み上げＩＤ書込部２０６に通知する。読み上げＩＤ書込部２０６は、これを受けて、信号レベル３２を閾値３３と比較し、信号レベル３２が閾値３３を上回っているので、騒音が発生したものと判定し、「００２」を書き込むべき読み上げＩＤとして決定する。図３に示す例では、時点３５において、「００２」が読み上げＩＤ記憶部２０２内に書き込まれていないので、読み上げＩＤ書込部２０６は、「００２」を読み上げＩＤとして読み上げＩＤ記憶部２０２に書き込む。
【００２５】
次に、時点３６において、読み上げＩＤ書込部２０６は、信号レベル３２が閾値３３を上回ったことを検出し、データ読み上げ部２０５によって出力された音声の聞き取りを阻害する騒音が発生したものと判定して「００２」を書き込むべき読み上げＩＤとして決定する。しかし、「００２」が読み上げＩＤ記憶部２０２内に既に書き込まれているので、読み上げＩＤ書込部２０６は、「００２」の読み上げＩＤ記憶部２０２への書き込みを実行しない。時点３７においても同様に、読み上げＩＤ書込部２０６は、「００２」の読み上げＩＤ記憶部２０２への書き込みを実行しない。
【００２６】
また、読み上げＩＤ書込部２０６は、音声による読み上げデータの出力が全て終了した旨をデータ読み上げ部２０５から通知された場合に、マイク１４によって電気信号に変換された音量の信号レベルの監視を終了する。
【００２７】
なお、マイク１４には、ユーザは発する音声を操作コマンドや文字列に変換するための音声認識用のマイクが用いられてもよいが、それとは別に、ユーザの耳の近傍に新たに設けられてもよい。これにより、ユーザの耳に入る音量をより高い精度で評価することができる。
【００２８】
図１に戻って説明を続ける。読み上げＩＤ記憶部２０２は、読み上げＩＤ書込部２０６によって書き込まれた読み上げＩＤを一時的に記憶する。本実施形態において、読み上げＩＤ記憶部２０２内のデータは、車載装置２０によるデータの読み上げ処理が起動した場合に消去される。また、他の例として、車載装置２０によるデータの読み上げ処理が終了した場合に、読み上げＩＤ記憶部２０２内のデータが消去されるようにしてもよい。
【００２９】
表示部２０３は、騒音によって聞き取りが阻害された可能性のある読み上げデータの一覧表示の要求を入力部２０４を介して受け付けた場合、または、音声による読み上げデータの出力が全て終了した旨をデータ読み上げ部２０５から通知された場合に、読み上げＩＤ記憶部２０２内に格納された読み上げＩＤについて、読み上げＩＤ記憶部２０２を参照して、例えば図４に示すような表示画面４０を表示装置１１に表示する。
【００３０】
表示画面４０には、複数のレコード４４が表示される。それぞれのレコード４４には、属性情報４１、読み上げデータ４２、および読み上げＩＤ４３が含まれる。表示画面４０に表示される読み上げデータ４２は、当該読み上げデータ４２に対応する読み上げデータ記憶部２０１内の読み上げデータの一部（例えば先頭から１０文字程度）である。表示画面４０に表示された属性情報４１および読み上げデータ４２を参照することにより、ユーザは、聞き逃した読み上げデータを特定することができる。
【００３１】
表示画面４０を閲覧しているユーザは、入力装置１２によってスクロールボタン４５、スクロールバー４６、またはスクロールボタン４７を操作して、聞き逃した読み上げデータを検索し、検索した読み上げデータのレコード４４を指定する。これを受けて、入力部２０４は、指定されたレコード４４に含まれる読み上げＩＤ４３をデータ読み上げ部２０５に通知することにより、データ読み上げ部２０５に、指定されたレコード４４に対応する読み上げデータから音声による出力を再開させる。
【００３２】
図５は、車載装置２０の動作の一例を示すフローチャートである。入力部２０４が入力装置１２を介して読み上げ処理の開始を指示されることにより、車載装置２０は、本フローチャートに示す処理を開始する。
【００３３】
まず、表示部２０３は、読み上げデータ記憶部２０１から読み上げデータのリストを取得して表示装置１１に表示する（Ｓ１００）。ステップＳ１００において、表示部２０３は、読み上げデータが読み上げデータ記憶部２０１内に文章単位で格納されている場合であっても、電子メールやニュースであれば１件毎、地域情報であれば１情報毎のリストを表示装置１１に表示する。表示部２０３は、例えば、読み上げデータ記憶部２０１内で共通の属性情報を有する読み上げデータを、１件分または１情報分と判定する。
【００３４】
次に、入力部２０４は、入力装置１２を介して、読み上げるべき読み上げデータの属性情報の指定を受け付けてデータ読み上げ部２０５に通知する（Ｓ１０１）。そして、データ読み上げ部２０５は、通知された属性情報に対応する読み上げデータの中で、最初に読み出すべき読み出しデータおよび当該読み出しデータの読み出しＩＤを読み上げデータ記憶部２０１から取得する（Ｓ１０２）。
【００３５】
次に、データ読み上げ部２０５は、読み上げデータ記憶部２０１から取得した読み上げＩＤを読み上げＩＤ書込部２０６に通知し（Ｓ１０３）、当該読み上げＩＤと共に読み上げデータ記憶部２０１から取得した読み上げデータの音声による出力を開始する（Ｓ１０４）。ステップＳ１０４において、データ読み上げ部２０５は、読み上げるデータの属性情報を読み上げてから、当該データの読み上げを開始する。
【００３６】
次に、読み上げＩＤ書込部２０６は、マイク１４によって電気信号に変換された音量の信号レベルが予め設定された閾値を超えたか否かを判定する（Ｓ１０５）。マイク１４によって電気信号に変換された音量の信号レベルが予め設定された閾値を超えた場合（Ｓ１０５：Ｙｅｓ）、読み上げＩＤ書込部２０６は、読み上げＩＤ記憶部２０２を参照して、データ読み上げ部２０５から通知された読み上げＩＤが、読み上げＩＤ記憶部２０２に既に書き込まれているか否かを判定する（Ｓ１０６）。
【００３７】
データ読み上げ部２０５から通知された読み上げＩＤが、読み上げＩＤ記憶部２０２に未だ書き込まれていない場合（Ｓ１０６：Ｎｏ）、読み上げＩＤ書込部２０６は、データ読み上げ部２０５から通知された読み上げＩＤを読み上げＩＤ記憶部２０２に書き込む（Ｓ１０７）。
【００３８】
マイク１４によって電気信号に変換された音量の信号レベルが予め設定された閾値を超えていない場合（Ｓ１０５：Ｎｏ）、または、データ読み上げ部２０５から通知された読み上げＩＤが読み上げＩＤ記憶部２０２に既に書き込まれている場合（Ｓ１０６：Ｙｅｓ）、データ読み上げ部２０５は、ステップＳ１０８に示す処理を実行する。
【００３９】
次に、データ読み上げ部２０５は、読み上げデータの音声による出力が終了したか否かを判定する（Ｓ１０８）。読み上げデータの音声による出力が終了していない場合（Ｓ１０８：Ｎｏ）、入力部２０４は、騒音によって聞き取りが阻害された可能性のある読み上げデータの一覧表示の指示を受け付けたか否かを判定する（Ｓ１１３）。一覧表示の指示を受け付けていない場合（Ｓ１１３：Ｎｏ）、読み上げＩＤ書込部２０６は、再びステップＳ１０５に示した処理を実行する。
【００４０】
一方、一覧表示の指示を受け付けた場合（Ｓ１１３：Ｙｅｓ）、入力部２０４は、その旨を表示部２０３に通知すると共に、データ読み上げ部２０５に読み上げの停止を指示して、表示部２０３は、ステップＳ１１０に示す処理を実行する。
【００４１】
ステップＳ１０８において、読み上げデータの音声による出力が終了した場合（Ｓ１０８：Ｙｅｓ）、データ読み上げ部２０５は、読み上げデータ記憶部２０１を参照して、指定されたデータ以降の読み上げデータにおける音声による読み上げが全て終了したか否かを判定する（Ｓ１０９）。音声による読み上げが全て終了していない場合（Ｓ１０９：Ｎｏ）、データ読み上げ部２０５は、次に読み上げるべき読み上げデータおよび読み上げＩＤを読み上げデータ記憶部２０１から取得する（Ｓ１１４）。
【００４２】
そして、データ読み上げ部２０５は、読み上げデータ記憶部２０１から取得した読み上げＩＤを読み上げＩＤ書込部２０６に通知し（Ｓ１１５）、当該読み上げＩＤと共に読み上げデータ記憶部２０１から取得した読み上げデータの音声による出力を開始し（Ｓ１１６）、読み上げＩＤ書込部２０６は、ステップＳ１０５に示した処理を実行する。
【００４３】
なお、ステップＳ１１６において、データ読み上げ部２０５は、今回の読み上げデータの属性情報が、前回の読み上げデータの属性情報と同一である場合には、属性情報を読み上げることなく、今回の読み上げデータの読み上げを開始する。
【００４４】
ステップＳ１０９において、音声による読み上げが全て終了した場合（Ｓ１０９：Ｙｅｓ）、表示部２０３は、読み上げＩＤ記憶部２０２内に格納された読み上げＩＤについて、読み上げＩＤ記憶部２０２を参照して、一覧表を生成して表示装置１１に表示する（Ｓ１１０）。そして、データ読み上げ部２０５は、入力部２０４を介して読み上げＩＤの指定を受け付けたか否かを判定する（Ｓ１１１）。読み上げＩＤの指定を受け付けた場合（Ｓ１１１：Ｙｅｓ）、データ読み上げ部２０５は、受け付けた読み出しＩＤに対応する読み出しデータを読み上げデータ記憶部２０１から取得して（Ｓ１１２）、再びステップ１０３に示した処理を実行する。
【００４５】
読み上げＩＤの指定を受け付けていない場合（Ｓ１１１：Ｎｏ）、入力部２０４は、データの読み上げ処理の終了を指示されたか否かを判定する（Ｓ１１７）。読み上げ処理の終了を指示されていない場合（Ｓ１１７：Ｎｏ）、データ読み上げ部２０５は、再びステップＳ１１１に示した処理を実行する。一方、読み上げ処理の終了を指示された場合（Ｓ１１７：Ｙｅｓ）、車載装置２０は、本フローチャートに示した処理を終了する。
【００４６】
以上、本発明の実施の形態について説明した。
【００４７】
上記説明から明らかなように、本発明の車載装置２０によれば、大きな騒音が発生しても、車載システム１０から出力される音声が示す情報を車内のユーザに確実に伝達することができる。
【００４８】
なお、本発明は、上記の各実施形態に限定されるものではなく、その要旨の範囲内で数々の変形が可能である。
【００４９】
例えば、図６は、車載装置２０の構成の他の例を示すブロック図である。車載装置２０は、データ取得部２００、読み上げデータ記憶部２０１、読み上げＩＤ記憶部２０２、表示部２０３、入力部２０４、データ読み上げ部２０５、読み上げＩＤ書込部２０６、閾値記憶部２０７、および閾値算出部２０８を備える。なお、以下に説明する点を除き、図６において、図１と同じ符号を付した構成は、図１における構成と同一または同様の機能を有するため説明を省略する。
【００５０】
閾値記憶部２０７は、読み上げデータの音声の聞き取りを阻害する騒音が発生したか否かの判定に用いられる閾値を格納する。読み上げＩＤ書込部２０６は、閾値記憶部２０７に格納された閾値を用いて、読み上げデータの音声の聞き取りを阻害する騒音が発生したか否かを判定する。入力部２０４は、読み上げデータの音声の聞き取りを阻害する騒音が発生した旨を示す入力を入力装置１２を介して受け付けた場合に、その旨を閾値算出部２０８に通知する。
【００５１】
閾値算出部２０８は、マイク１４からの電気信号レベルを所定期間分（例えば１０秒分）保持し、読み上げデータの音声の聞き取りを阻害する騒音が発生した旨を入力部２０４から通知された場合に、保持している電気信号レベルから閾値の値を算出し、算出した閾値で、閾値記憶部２０７に格納されている閾値を更新する。
【００５２】
読み上げデータの音声の聞き取りを阻害する騒音が発生した旨を入力部２０４から通知された場合、閾値算出部２０８は、例えば、保持している電気信号レベルの平均値、または、当該平均値と保持している電気信号レベルの最大値との中間のレベルを閾値として算出する。
【００５３】
これにより、車載装置２０は、ユーザの嗜好やスピーカ１３およびマイク１４の配置等に応じた、より適切な閾値を設定することができる。
【００５４】
また、図７は、車載装置２０の構成の他の例を例示するブロック図である。車載装置２０は、データ取得部２００、読み上げデータ記憶部２０１、読み上げＩＤ記憶部２０２、表示部２０３、入力部２０４、データ読み上げ部２０５、読み上げＩＤ書込部２０６、閾値記憶部２０７、および閾値調整部２０９を備える。なお、以下に説明する点を除き、図７において、図１または図６と同じ符号を付した構成は、図１または図６における構成と同一または同様の機能を有するため説明を省略する。
【００５５】
読み上げＩＤ記憶部２０２内のデータは、読み上げ処理の起動時に消去される。入力部２０４は、入力装置１２を介して、騒音によって聞き取りが阻害された可能性のある読み上げデータの一覧表示の要求を受け付けた場合に、その旨を表示部２０３、データ読み上げ部２０５、および閾値調整部２０９に通知する。また、入力部２０４は、読み上げ処理の起動指示および終了指示をユーザから受け付けた場合に、その旨を閾値調整部２０９に通知する。
【００５６】
閾値調整部２０９は、騒音によって聞き取りが阻害された可能性のある読み上げデータの一覧表示の要求を受け付けた旨を入力部２０４から通知された場合に、その旨を保持する。また、閾値調整部２０９は、読み上げ処理の終了を入力部２０４から通知された場合に、読み上げ処理が起動されてから、読み上げデータの一覧表示の要求を１回以上受け付けたか否かを判定する。
【００５７】
読み上げ処理が起動されてから読み上げデータの一覧表示の要求を１回も受け付けていない場合、閾値調整部２０９は、読み上げＩＤ記憶部２０２内に読み上げＩＤが書き込まれているか否かを判定する。読み上げＩＤ記憶部２０２内に読み上げＩＤが書き込まれている場合、閾値調整部２０９は、スピーカ１３からの読み上げ音声をユーザが聞き取ることができたにもかかわらず、過度に大きな騒音が発生した認識したものと判定し、閾値記憶部２０７から現在の閾値を読み出して、予め定められた量、当該閾値を上昇させ、上昇させた閾値で閾値記憶部２０７内の閾値を更新する閾値の調整処理を実行する。
【００５８】
ここで、本実施形態では、音量を示す電気信号レベルの値および閾値が、例えば８ビットのディジタル信号を用いて０から２５５の数値で表される場合を想定しており、閾値の調整処理において、閾値調整部２０９は、閾値を、例えば１上昇させる。
【００５９】
読み上げ処理が起動されてから読み上げデータの一覧表示の要求を１回以上受け付けている場合、または、読み上げＩＤ記憶部２０２内に読み上げＩＤが書き込まれていない場合には、閾値調整部２０９は、閾値の調整処理を実行しない。
【００６０】
これにより、閾値調整部２０９は、読み上げＩＤ書込部２０６によって参照される閾値を、スピーカ１３およびマイク１４の配置等に応じて、より適切な値に調整することができる。
【００６１】
なお、図５に示したフローチャートでは、ユーザによって指定された読み上げデータの読み上げ処理が例示されているが、他の形態として、データ取得部２００によってデータが取得される都度（電子メールの着信時、ニュースや地点情報の配信時等）、音声による読み上げ処理を実行する場合にも、本発明を適用することができる。
【図面の簡単な説明】
【００６２】
【図１】本発明の一実施形態に係る車載システム１０の構成を示すシステム構成図である。
【図２】読み上げデータ記憶部２０１に格納されるデータ構造を例示する図である。
【図３】読み上げＩＤが書き込まれる過程を説明するための概念図である。
【図４】表示画面４０の構成を例示する概念図である。
【図５】車載装置２０の動作の一例を示すフローチャートである。
【図６】車載装置２０の構成の他の例を示すブロック図である。
【図７】車載装置２０の構成の他の例を示すブロック図である。
【符号の説明】
【００６３】
１０・・・車載システム、１１・・・表示装置、１２・・・入力装置、１３・・・スピーカ、１４・・・マイク、２０・・・車載装置、２００・・・データ取得部、２０１・・・読み上げデータ記憶部、２０１０・・・読み上げＩＤ、２０１１・・・属性情報、２０１２・・・読み上げデータ、２０１３・・・レコード、２０２・・・読み上げＩＤ記憶部、２０３・・・表示部、２０４・・・入力部、２０５・・・データ読み上げ部、２０６・・・読み上げＩＤ書込部、２０７・・・閾値記憶部、２０８・・・閾値算出部、２０９・・・閾値調整部、３０・・・読み上げデータ、３１・・・読み上げデータ、３２・・・信号レベル、３３・・・閾値、３４・・・時点、３５・・・時点、３６・・・時点、３７・・・時点、４０・・・表示画面、４１・・・属性情報、４２・・・読み上げデータ、４３・・・読み上げＩＤ、４４・・・レコード、４５・・・スクロールボタン、４６・・・スクロールバー、４７・・・スクロールボタン
【図１】
2008040194.tif 000003
【図２】
2008040194.tif 000004
【図３】
2008040194.tif 000005
【図４】
2008040194.tif 000006
【図５】
2008040194.tif 000007
【図６】
2008040194.tif 000008
【図７】
2008040194.tif 000009